(57)【要約】【課題】前方基礎杭及び後方基礎杭に断面方向連結梁を容易、迅速に接合することができ、防潮堤を構成する部材の輸送コストを低減させることのできる防潮堤及び防潮堤の構築方法を提供する。【解決手段】沿岸部に構築されて内陸部の浸水被害を防止する防潮堤１及びその構築方法に関する。防潮堤１は、海側Ａの地盤９に設けられる前方基礎杭２と、内陸側Ｂの地盤９に設けられる後方基礎杭３と、前方基礎杭２と後方基礎杭３とに架設される断面方向連結梁４とを備える。断面方向連結梁４は、前方基礎杭２が挿通される前方鞘管４１と、後方基礎杭３が挿通される後方鞘管４４とを有し、海側Ａの地盤９から内陸側Ｂの地盤９にかけて配設される。【選択図】図１
2014227768.tif 000002
【特許請求の範囲】
【請求項１】
沿岸部に構築されて内陸部の浸水被害を防止する防潮堤であって、
海側の地盤に設けられる前方基礎杭と、内陸側の地盤に設けられる後方基礎杭と、前記前方基礎杭と前記後方基礎杭とに架設される断面方向連結梁とを備え、
前記断面方向連結梁は、前記前方基礎杭が挿通される前方鞘管と、前記後方基礎杭が挿通される後方鞘管とを有し、海側の地盤から内陸側の地盤にかけて配設されること
を特徴とする防潮堤。
【請求項２】
前記前方鞘管と前記前方基礎杭との間に形成された間隙、及び、前記後方鞘管と前記後方基礎杭との間に形成された間隙の何れか一方又は両方に、経時硬化性材料が充填されること
を特徴とする請求項１に記載の防潮堤。
【請求項３】
前記前方鞘管に挿通された接合部や横抵抗に有効な地盤深さに対応する部位の前記前方基礎杭、及び、前記後方鞘管に挿通された接合部や横抵抗に有効な地盤深さに対応する部位の前記後方基礎杭の何れか一方又は両方に、高強度化鋼管や高剛性化鋼管が用いられること
を特徴とする請求項１又は２に記載の防潮堤。
【請求項４】
前記前方鞘管の内面及び前記前方基礎杭の外面の何れか一方又は両方に形成された突出部、並びに、前記後方鞘管の内面及び前記後方基礎杭の外面の何れか一方又は両方に形成された突出部の何れか一方又は両方を有すること
を特徴とする請求項１〜３の何れか１項に記載の防潮堤。
【請求項５】
前記断面方向連結梁は、沿岸部に複数並べて配設されて、隣り合う各々の前記前方鞘管及び前記後方鞘管の何れか一方又は両方に架設される延長方向連結部材で連結されること
を特徴とする請求項１〜４の何れか１項に記載の防潮堤。
【請求項６】
地盤の上方に設けられるプレキャスト壁体をさらに備え、
前記延長方向連結部材は、前記プレキャスト壁体の下方で、沿岸部に複数並べて設けられた隣り合う前記断面方向連結梁の各々の前記前方鞘管又は前記後方鞘管に架設されること
を特徴とする請求項５に記載の防潮堤。
【請求項７】
地盤の上方に設けられるプレキャスト壁体をさらに備え、
前記延長方向連結部材は、前記プレキャスト壁体の上方で、沿岸部に複数並べて設けられた隣り合う前記前方基礎杭又は前記後方基礎杭の各々の地盤から上方に向けて延伸された延伸部に架設されること
を特徴とする請求項５又は６に記載の防潮堤。
【請求項８】
前記前方基礎杭と、前記後方基礎杭と、前記前方基礎杭と前記後方基礎杭との間の地盤に設けられる中間基礎杭と、前記前方基礎杭、前記後方基礎杭及び前記中間基礎杭に架設される前記断面方向連結梁とを備え、
前記断面方向連結梁は、前記前方鞘管と、前記後方鞘管と、前記中間基礎杭が挿通される中間鞘管とを有すること
を特徴とする請求項１〜７の何れか１項に記載の防潮堤。
【請求項９】
前記断面方向連結梁は、沿岸部に複数並べて配設されて、隣り合う各々の前記中間鞘管に架設される延長方向連結部材で連結されること
を特徴とする請求項８に記載の防潮堤。
【請求項１０】
地盤の上方に設けられるプレキャスト壁体をさらに備え、
前記延長方向連結部材は、前記プレキャスト壁体の下方で、沿岸部に複数並べて設けられた隣り合う前記断面方向連結梁の各々の前記中間鞘管に架設されること
を特徴とする請求項９に記載の防潮堤。
【請求項１１】
地盤の上方に設けられるプレキャスト壁体をさらに備え、
前記延長方向連結部材は、前記プレキャスト壁体の上方で、沿岸部に複数並べて設けられた隣り合う前記中間基礎杭の各々の地盤から上方に向けて延伸された延伸部に架設されること
を特徴とする請求項９又は１０に記載の防潮堤。
【請求項１２】
地盤の上方に設けられるプレキャスト壁体をさらに備え、
前記前方基礎杭は、地盤から上方に向けて延伸された延伸部を有し、前記延伸部が前記プレキャスト壁体に形成された壁体挿通孔に挿通されること
を特徴とする請求項１〜１１の何れか１項に記載の防潮堤。
【請求項１３】
前記プレキャスト壁体は、地盤に下端部が埋め込まれて、前記前方鞘管又は前記前方鞘管に設けられたブラケットに載置されること
を特徴とする請求項１２に記載の防潮堤。
【請求項１４】
前記プレキャスト壁体は、地盤に埋め込まれた下端部で、前記壁体挿通孔に前記前方鞘管の上端部が挿入されること
を特徴とする請求項１２又は１３に記載の防潮堤。
【請求項１５】
地盤の上方に設けられるプレキャスト壁体をさらに備え、
前記中間基礎杭又は前記後方基礎杭は、地盤から上方に向けて延伸された延伸部を有し、前記延伸部が前記プレキャスト壁体に形成された壁体挿通孔に挿通されること
を特徴とする請求項８〜１１の何れか１項に記載の防潮堤。
【請求項１６】
前記プレキャスト壁体は、地盤に下端部が埋め込まれて、前記後方鞘管若しくは前記中間鞘管又は前記後方鞘管若しくは前記中間鞘管に設けられたブラケットに載置されること
を特徴とする請求項１５に記載の防潮堤。
【請求項１７】
前記プレキャスト壁体は、地盤に埋め込まれた下端部で、前記壁体挿通孔に前記後方鞘管又は前記中間鞘管の上端部が挿入されること
を特徴とする請求項１５又は１６に記載の防潮堤。
【請求項１８】
前記延伸部と前記壁体挿通孔との間に形成された間隙に、経時硬化性材料が充填されること
を特徴とする請求項１２〜１７の何れか１項に記載の防潮堤。
【請求項１９】
前記プレキャスト壁体は、地盤から上方に向けて複数段に亘って設けられること
を特徴とする請求項１２〜１８の何れか１項に記載の防潮堤。
【請求項２０】
前記前方基礎杭より海側で、地盤中に構築される止水壁をさらに備えること
を特徴とする請求項１〜１９の何れか１項に記載の防潮堤。
【請求項２１】
沿岸部に構築されて内陸部の浸水被害を防止する防潮堤の構築方法であって、
前方基礎杭が挿通される前方鞘管と、後方基礎杭が挿通される後方鞘管とを有する断面方向連結梁を、海側の地盤から内陸側の地盤にかけて配設する断面方向連結梁設置工程と、
前記前方鞘管に挿通させながら前記前方基礎杭を海側の地盤に打ち込むとともに、前記後方鞘管に挿通させながら前記後方基礎杭を内陸側の地盤に打ち込む基礎杭設置工程とを備えること
を特徴とする防潮堤の構築方法。
【請求項２２】
沿岸部に構築されて内陸部の浸水被害を防止する防潮堤の構築方法であって、
前方基礎杭を海側の地盤に打ち込むとともに、後方基礎杭を内陸側の地盤に打ち込む基礎杭設置工程と、
前記前方基礎杭を前方鞘管に挿通させるとともに、前記後方基礎杭を後方鞘管に挿通させながら、断面方向連結梁を海側の地盤から内陸側の地盤にかけて配設する断面方向連結梁設置工程とを備えること
を特徴とする防潮堤の構築方法。
【請求項２３】
前記断面方向連結梁設置工程では、沿岸部に並べて配設された複数の前記断面方向連結梁を、隣り合う前記断面方向連結梁の各々の前記前方鞘管及び前記後方鞘管の何れか一方又は両方に架設される延長方向連結部材で連結すること
を特徴とする請求項２１又は２２に記載の防潮堤の構築方法。
【請求項２４】
前記断面方向連結梁設置工程では、前記前方鞘管と、前記後方鞘管と、前記前方基礎杭と前記後方基礎杭との間の地盤に設けられる中間基礎杭が挿通される中間鞘管とを有する断面方向連結梁を、海側の地盤から内陸側の地盤にかけて配設するとともに、
前記基礎杭設置工程では、さらに前記中間基礎杭を前記前方基礎杭と前記後方基礎杭との間の地盤に打ち込むこと
を特徴とする請求項２１〜２３の何れか１項に記載の防潮堤の構築方法。
【請求項２５】
前記断面方向連結梁設置工程では、沿岸部に並べて配設された複数の前記断面方向連結梁を、隣り合う各々の前記断面方向連結梁の前記中間鞘管に架設される延長方向連結部材で連結すること
を特徴とする請求項２４に記載の防潮堤の構築方法。
【請求項２６】
前記基礎杭設置工程で地盤に打ち込まれた前記前方基礎杭又は前記後方基礎杭の地盤から上方に向けて延伸された延伸部を、プレキャスト壁体に形成された壁体挿通孔に挿通させて、地盤の上方に前記プレキャスト壁体を設ける壁体設置工程をさらに備えること
を特徴とする請求項２１〜２３の何れか１項に記載の防潮堤の構築方法。
【請求項２７】
前記断面方向連結梁設置工程では、前記プレキャスト壁体の下方で、沿岸部に並べて配設された複数の前記断面方向連結梁を、隣り合う前記断面方向連結梁の各々の前記前方鞘管又は前記後方鞘管に架設される延長方向連結部材で連結すること
を特徴とする請求項２６に記載の防潮堤の構築方法。
【請求項２８】
前記壁体設置工程では、前記プレキャスト壁体の上方で、沿岸部に複数並べて設けられた複数の前記前方基礎杭又は前記後方基礎杭を、隣り合う前記前方基礎杭又は前記後方基礎杭の各々の前記延伸部に架設される延長方向連結部材で連結すること
を特徴とする請求項２６又は２７に記載の防潮堤の構築方法。
【請求項２９】
前記基礎杭設置工程で地盤に打ち込まれた前記中間基礎杭の地盤から上方に向けて延伸された延伸部を、プレキャスト壁体に形成された壁体挿通孔に挿通させて、地盤の上方に前記プレキャスト壁体を設ける壁体設置工程をさらに備えること
を特徴とする請求項２４又は２５に記載の防潮堤の構築方法。
【請求項３０】
前記断面方向連結梁設置工程では、前記プレキャスト壁体の下方で、沿岸部に並べて配設された複数の前記断面方向連結梁を、隣り合う前記断面方向連結梁の各々の前記中間鞘管に架設される延長方向連結部材で連結すること
を特徴とする請求項２９に記載の防潮堤の構築方法。
【請求項３１】
前記壁体設置工程では、前記プレキャスト壁体の上方で、沿岸部に複数並べて設けられた複数の前記中間基礎杭を、隣り合う前記中間基礎杭の各々の前記延伸部に架設される延長方向連結部材で連結すること
を特徴とする請求項２９又は３０に記載の防潮堤の構築方法。
【請求項３２】
前記壁体設置工程では、地盤から上方に向けて複数段に亘って、前記プレキャスト壁体を設けること
を特徴とする請求項２６〜３１の何れか１項に記載の防潮堤の構築方法。
【請求項３３】
前記基礎杭設置工程で地盤に打ち込まれた前記前方基礎杭より海側で、地盤中に止水壁を構築する止水壁設置工程をさらに備えること
を特徴とする請求項２１〜３２の何れか１項に記載の防潮堤の構築方法。
【発明の詳細な説明】
【技術分野】
【０００１】
本発明は、沿岸部に構築されて内陸部の浸水被害を防止する防潮堤及び防潮堤の構築方法に関する。
【背景技術】
【０００２】
従来より、原子力発電所等が構築された沿岸部に襲来する津波対策として、防潮堤や堤体を沿岸部に短い工期で構築することが必要となっており、例えば、沿岸部に構築されて内陸部の津波被害を防止するものとして、特許文献１に開示されるような堤体が提案されている。
【０００３】
特許文献１に開示された堤体は、鋼管杭、フーチング及びプレキャスト壁体を備えるものである。プレキャスト壁体は、フーチングの上方に配置され、面内方向に貫通する壁体貫通孔を有し、壁体貫通孔の内面には壁体さや管を有する。フーチングは、厚さ方向に貫通するフーチング貫通孔を有し、フーチング貫通孔の内面にはフーチングさや管を有する。フーチングさや管は、フーチングの上面よりも上方の位置まで延伸し、フーチングさや管に鋼管杭が差し込まれ、フーチングさや管はプレキャスト壁体の壁体さや管に差し込まれ、フーチングさや管とフーチングさや管に差し込まれた鋼管杭との間隙にはグラウト材が充填されている。
【先行技術文献】
【特許文献】
【０００４】
【特許文献１】特許第５０２４４８９号公報
【発明の概要】
【発明が解決しようとする課題】
【０００５】
しかし、特許文献１に開示された堤体は、フーチングにプレキャスト部材が用いられ、このプレキャストフーチングの重量が大きいものとなるとともに、このプレキャストフーチングの上面からフーチングさや管が延伸されて突出したものとなっている。このため、特許文献１に開示された堤体は、プレキャストフーチングの重量が大きく、さらに、フーチングさや管が障害となり、このプレキャストフーチングを製造場所から設置場所まで運搬輸送することが困難となるという問題点があった。
【０００６】
また、特許文献１に開示された堤体は、鉛直方向に積み上げられた複数のプレキャスト壁体の各々の壁体さや管が、鉛直方向で互いに分断されて一体化されていないため、堤体全体の完成断面において、壁体さや管の構造的強度への貢献度が極めて低いものとなり、壁体さや管が設けられているにもかかわらず、所定の構造的強度を備える堤体を構築するための施工コストが増大するという問題点があった。
【０００７】
さらに、特許文献１に開示された堤体は、フーチングさや管に鋼管杭が差し込まれるとともに、フーチングさや管がプレキャスト壁体の壁体さや管に差し込まれるため、プレキャスト壁体とプレキャストフーチングとの接合部が三重管構造となっている。このため、特許文献１に開示された堤体は、三重管構造の接合部の応力状態が複雑なものとなり、構造計算が困難となるという問題点があった。また、特許文献１に開示された堤体は、三重管構造の接合部の剛性が過大となって応力集中が発生し、接合部の断面力が過大となるという問題点があった。
【０００８】
そこで、本発明は、上述した問題点に鑑みて案出されたものであり、その目的とするところは、前方基礎杭及び後方基礎杭に断面方向連結梁を容易、迅速に接合することができ、防潮堤を構成する部材の輸送コストを低減させることのできる防潮堤及び防潮堤の構築方法を提供することにある。
【課題を解決するための手段】
【０００９】
第１発明の防潮堤は、沿岸部に構築されて内陸部の浸水被害を防止する防潮堤であって、海側の地盤に設けられる前方基礎杭と、内陸側の地盤に設けられる後方基礎杭と、前記前方基礎杭と前記後方基礎杭とに架設される断面方向連結梁とを備え、前記断面方向連結梁は、前記前方基礎杭が挿通される前方鞘管と、前記後方基礎杭が挿通される後方鞘管とを有し、海側の地盤から内陸側の地盤にかけて配設されることを特徴とする。
【００１０】
第２発明の防潮堤は、第１発明において、前記前方鞘管と前記前方基礎杭との間に形成された間隙、及び、前記後方鞘管と前記後方基礎杭との間に形成された間隙の何れか一方又は両方に、経時硬化性材料が充填されることを特徴とする。
【００１１】
第３発明の防潮堤は、第１発明又は第２発明において、前記前方鞘管に挿通された接合部や横抵抗に有効な地盤深さに対応する部位の前記前方基礎杭、及び、前記後方鞘管に挿通された接合部や横抵抗に有効な地盤深さに対応する部位の前記後方基礎杭の何れか一方又は両方に、高強度化鋼管や高剛性化鋼管が用いられることを特徴とする。
【００１２】
第４発明の防潮堤は、第１発明〜第３発明の何れかにおいて、前記前方鞘管の内面及び前記前方基礎杭の外面の何れか一方又は両方に形成された突出部、並びに、前記後方鞘管の内面及び前記後方基礎杭の外面の何れか一方又は両方に形成された突出部の何れか一方又は両方を有することを特徴とする。
【００１３】
第５発明の防潮堤は、第１発明〜第４発明の何れかにおいて、前記断面方向連結梁は、沿岸部に複数並べて配設されて、隣り合う各々の前記前方鞘管及び前記後方鞘管の何れか一方又は両方に架設される延長方向連結部材で連結されることを特徴とする。
【００１４】
第６発明の防潮堤は、第５発明において、地盤の上方に設けられるプレキャスト壁体をさらに備え、前記延長方向連結部材は、前記プレキャスト壁体の下方で、沿岸部に複数並べて設けられた隣り合う前記断面方向連結梁の各々の前記前方鞘管又は前記後方鞘管に架設されることを特徴とする。
【００１５】
第７発明の防潮堤は、第５発明又は第６発明において、地盤の上方に設けられるプレキャスト壁体をさらに備え、前記延長方向連結部材は、前記プレキャスト壁体の上方で、沿岸部に複数並べて設けられた隣り合う前記前方基礎杭又は前記後方基礎杭の各々の地盤から上方に向けて延伸された延伸部に架設されることを特徴とする。
【００１６】
第８発明の防潮堤は、第１発明〜第７発明の何れかにおいて、前記前方基礎杭と、前記後方基礎杭と、前記前方基礎杭と前記後方基礎杭との間の地盤に設けられる中間基礎杭と、前記前方基礎杭、前記後方基礎杭及び前記中間基礎杭に架設される前記断面方向連結梁とを備え、前記断面方向連結梁は、前記前方鞘管と、前記後方鞘管と、前記中間基礎杭が挿通される中間鞘管とを有することを特徴とする。
【００１７】
第９発明の防潮堤は、第８発明において、前記断面方向連結梁は、沿岸部に複数並べて配設されて、隣り合う各々の前記中間鞘管に架設される延長方向連結部材で連結されることを特徴とする。
【００１８】
第１０発明の防潮堤は、第９発明において、地盤の上方に設けられるプレキャスト壁体をさらに備え、前記延長方向連結部材は、前記プレキャスト壁体の下方で、沿岸部に複数並べて設けられた隣り合う前記断面方向連結梁の各々の前記中間鞘管に架設されることを特徴とする。
【００１９】
第１１発明の防潮堤は、第９発明又は第１０発明において、地盤の上方に設けられるプレキャスト壁体をさらに備え、前記延長方向連結部材は、前記プレキャスト壁体の上方で、沿岸部に複数並べて設けられた隣り合う前記中間基礎杭の各々の地盤から上方に向けて延伸された延伸部に架設されることを特徴とする。
【００２０】
第１２発明の防潮堤は、第１発明〜第１１発明の何れかにおいて、地盤の上方に設けられるプレキャスト壁体をさらに備え、前記前方基礎杭は、地盤から上方に向けて延伸された延伸部を有し、前記延伸部が前記プレキャスト壁体に形成された壁体挿通孔に挿通されることを特徴とする。
【００２１】
第１３発明の防潮堤は、第１２発明において、前記プレキャスト壁体は、地盤に下端部が埋め込まれて、前記前方鞘管又は前記前方鞘管に設けられたブラケットに載置されることを特徴とする。
【００２２】
第１４発明の防潮堤は、第１２発明又は第１３発明において、前記プレキャスト壁体は、地盤に埋め込まれた下端部で、前記壁体挿通孔に前記前方鞘管の上端部が挿入されることを特徴とする。
【００２３】
第１５発明の防潮堤は、第８発明〜第１１発明の何れかにおいて、地盤の上方に設けられるプレキャスト壁体をさらに備え、前記中間基礎杭又は前記後方基礎杭は、地盤から上方に向けて延伸された延伸部を有し、前記延伸部が前記プレキャスト壁体に形成された壁体挿通孔に挿通されることを特徴とする。
【００２４】
第１６発明の防潮堤は、第１５発明において、前記プレキャスト壁体は、地盤に下端部が埋め込まれて、前記後方鞘管若しくは前記中間鞘管又は前記後方鞘管若しくは前記中間鞘管に設けられたブラケットに載置されることを特徴とする。
【００２５】
第１７発明の防潮堤は、第１５発明又は第１６発明において、前記プレキャスト壁体は、地盤に埋め込まれた下端部で、前記壁体挿通孔に前記後方鞘管又は前記中間鞘管の上端部が挿入されることを特徴とする。
【００２６】
第１８発明の防潮堤は、第１２発明〜第１７発明の何れかにおいて、前記延伸部と前記壁体挿通孔との間に形成された間隙に、経時硬化性材料が充填されることを特徴とする。
【００２７】
第１９発明の防潮堤は、第１２発明〜第１８発明の何れかにおいて、前記プレキャスト壁体は、地盤から上方に向けて複数段に亘って設けられることを特徴とする。
【００２８】
第２０発明の防潮堤は、第１発明〜第１９発明の何れかにおいて、前記前方基礎杭より海側で、地盤中に構築される止水壁をさらに備えることを特徴とする。
【００２９】
第２１発明の防潮堤の構築方法は、沿岸部に構築されて内陸部の浸水被害を防止する防潮堤の構築方法であって、前方基礎杭が挿通される前方鞘管と、後方基礎杭が挿通される後方鞘管とを有する断面方向連結梁を、海側の地盤から内陸側の地盤にかけて配設する断面方向連結梁設置工程と、前記前方鞘管に挿通させながら前記前方基礎杭を海側の地盤に打ち込むとともに、前記後方鞘管に挿通させながら前記後方基礎杭を内陸側の地盤に打ち込む基礎杭設置工程とを備えることを特徴とする。
【００３０】
第２２発明の防潮堤の構築方法は、沿岸部に構築されて内陸部の浸水被害を防止する防潮堤の構築方法であって、前方基礎杭を海側の地盤に打ち込むとともに、後方基礎杭を内陸側の地盤に打ち込む基礎杭設置工程と、前記前方基礎杭を前方鞘管に挿通させるとともに、前記後方基礎杭を後方鞘管に挿通させながら、断面方向連結梁を海側の地盤から内陸側の地盤にかけて配設する断面方向連結梁設置工程とを備えることを特徴とする。
【００３１】
第２３発明の防潮堤の構築方法は、第２１発明又は第２２発明において、前記断面方向連結梁設置工程では、沿岸部に並べて配設された複数の前記断面方向連結梁を、隣り合う前記断面方向連結梁の各々の前記前方鞘管及び前記後方鞘管の何れか一方又は両方に架設される延長方向連結部材で連結することを特徴とする。
【００３２】
第２４発明の防潮堤の構築方法は、第２１発明〜第２３発明の何れかにおいて、前記断面方向連結梁設置工程では、前記前方鞘管と、前記後方鞘管と、前記前方基礎杭と前記後方基礎杭との間の地盤に設けられる中間基礎杭が挿通される中間鞘管とを有する断面方向連結梁を、海側の地盤から内陸側の地盤にかけて配設するとともに、前記基礎杭設置工程では、さらに前記中間基礎杭を前記前方基礎杭と前記後方基礎杭との間の地盤に打ち込むことを特徴とする。
【００３３】
第２５発明の防潮堤の構築方法は、第２４発明において、前記断面方向連結梁設置工程では、沿岸部に並べて配設された複数の前記断面方向連結梁を、隣り合う各々の前記断面方向連結梁の前記中間鞘管に架設される延長方向連結部材で連結することを特徴とする。
【００３４】
第２６発明の防潮堤の構築方法は、第２１発明〜第２３発明の何れかにおいて、前記基礎杭設置工程で地盤に打ち込まれた前記前方基礎杭又は前記後方基礎杭の地盤から上方に向けて延伸された延伸部を、プレキャスト壁体に形成された壁体挿通孔に挿通させて、地盤の上方に前記プレキャスト壁体を設ける壁体設置工程をさらに備えることを特徴とする。
【００３５】
第２７発明の防潮堤の構築方法は、第２６発明において、前記断面方向連結梁設置工程では、前記プレキャスト壁体の下方で、沿岸部に並べて配設された複数の前記断面方向連結梁を、隣り合う前記断面方向連結梁の各々の前記前方鞘管又は前記後方鞘管に架設される延長方向連結部材で連結することを特徴とする。
【００３６】
第２８発明の防潮堤の構築方法は、第２６発明又は第２７発明において、前記壁体設置工程では、前記プレキャスト壁体の上方で、沿岸部に複数並べて設けられた複数の前記前方基礎杭又は前記後方基礎杭を、隣り合う前記前方基礎杭又は前記後方基礎杭の各々の前記延伸部に架設される延長方向連結部材で連結することを特徴とする。
【００３７】
第２９発明の防潮堤の構築方法は、第２４発明又は第２５発明において、前記基礎杭設置工程で地盤に打ち込まれた前記中間基礎杭の地盤から上方に向けて延伸された延伸部を、プレキャスト壁体に形成された壁体挿通孔に挿通させて、地盤の上方に前記プレキャスト壁体を設ける壁体設置工程をさらに備えることを特徴とする。
【００３８】
第３０発明の防潮堤の構築方法は、第２９発明において、前記断面方向連結梁設置工程では、前記プレキャスト壁体の下方で、沿岸部に並べて配設された複数の前記断面方向連結梁を、隣り合う前記断面方向連結梁の各々の前記中間鞘管に架設される延長方向連結部材で連結することを特徴とする。
【００３９】
第３１発明の防潮堤の構築方法は、第２９発明又は第３０発明において、前記壁体設置工程では、前記プレキャスト壁体の上方で、沿岸部に複数並べて設けられた複数の前記中間基礎杭を、隣り合う前記中間基礎杭の各々の前記延伸部に架設される延長方向連結部材で連結することを特徴とする。
【００４０】
第３２発明の防潮堤の構築方法は、第２６発明〜第３１発明の何れかにおいて、前記壁体設置工程では、地盤から上方に向けて複数段に亘って、前記プレキャスト壁体を設けることを特徴とする。
【００４１】
第３３発明の防潮堤の構築方法は、第２１発明〜第３２発明の何れかにおいて、前記基礎杭設置工程で地盤に打ち込まれた前記前方基礎杭より海側で、地盤中に止水壁を構築する止水壁設置工程をさらに備えることを特徴とする。
【発明の効果】
【００４２】
第１発明〜第２０発明によれば、前方鞘管に前方基礎杭が挿通されるとともに、後方鞘管に後方基礎杭が挿通されることで、断面方向連結梁を前方基礎杭及び後方基礎杭に接合部で容易、迅速に接合することが可能となる。
【００４３】
また、第１発明〜第２０発明によれば、プレキャストフーチングと比較して、軽量で加工が容易な断面方向連結梁が用いられるため、断面方向連結梁を製造場所から設置場所まで容易に運搬輸送することができ、防潮堤を構成する部材の輸送コストを低減させることが可能となる。
【００４４】
特に、第２発明によれば、前方鞘管と前方基礎杭との間に形成された間隙に経時硬化性材料が充填され、また、後方鞘管と後方基礎杭との間に形成された間隙に経時硬化性材料が充填されることで、接合部の接合強度を向上させることが可能となる。
【００４５】
特に、第３発明によれば、前方鞘管に前方基礎杭が挿通された接合部や横抵抗に有効な地盤深さに対応する部位で、前方基礎杭に高強度化鋼管や高剛性化鋼管を用いることができ、また、後方鞘管に後方基礎杭が挿通された接合部や横抵抗に有効な地盤深さに対応する部位で、後方基礎杭に高強度化鋼管や高剛性化鋼管を用いることができるため、接合部を複雑な構造としないで簡易な構造とすることができ、施工コストを増大させずに、接合部を容易に補強することが可能となる。
【００４６】
特に、第４発明によれば、前方鞘管の内面及び前方基礎杭の外面の何れか一方又は両方に突出部が形成され、また、後方鞘管の内面及び後方基礎杭の外面の何れか一方又は両方に突出部が形成されることで、接合部の上下方向のズレ止めとして突出部を機能させ、接合部の接合強度を向上させることが可能となる。
【００４７】
特に、第６発明、第７発明、第１０発明、第１１発明によれば、複数のプレキャスト壁体を下方部延長方向連結部材又は上方部延長方向連結部材で幅方向に固定して、複数のプレキャスト壁体の目地部分が幅方向に開くことを防止することが可能となる。特に、第７発明、第１１発明によれば、上方部延長方向連結部材の上面に落下防止柵を設けることによって、上方部延長方向連結部材の上面を、管理用通路、散策用通路として利用することも可能となる。
【００４８】
特に、第１２発明〜第１９発明によれば、地震や台風が発生することによって、海から津波や高潮が押し寄せた場合であっても、プレキャスト壁体が奥行方向で倒壊することのないように支持することができ、プレキャスト壁体で津波や高潮を確実に遮断して、津波や高潮による内陸部の浸水被害を防止することが可能となる。
【００４９】
特に、第１３発明、第１４発明、第１６発明、第１７発明によれば、プレキャスト壁体の下端部が載せ置かれる接合部で、応力状態が複雑となることを回避することができ、接合部の応力状態を単純にして、接合部の構造計算を容易にすることが可能となる。また、第１３発明、第１４発明、第１６発明、第１７発明によれば、接合部の剛性の増大を抑制することができ、接合部に応力集中が発生することを回避して、接合部の断面力が過大となることを回避することが可能となる。
【００５０】
特に、第１８発明によれば、前方基礎杭の延伸部が連続するようにプレキャスト壁体の壁体挿通孔に挿通されて、プレキャスト壁体の壁体挿通孔と前方基礎杭の延伸部との間に形成された間隙に経時硬化性材料が充填されるため、プレキャスト壁体の壁体挿通孔に連続するように挿通された前方基礎杭の延伸部とプレキャスト壁体とを、上下方向に亘って確実に一体化させることができ、プレキャスト壁体の構造的強度を容易、確実に向上させることが可能となる。
【００５１】
特に、第１９発明によれば、想定される津波や高潮の高さに応じて、複数の壁体ユニットを略鉛直方向に積み上げて用いることができ、プレキャスト壁体の高さを任意に高くすることが可能となる。
【００５２】
特に、第２０発明によれば、前方基礎杭より海側で、地盤中に鋼矢板や鋼管矢板等を打ち込んで止水壁を構築することができ、地盤の内部で海水が内陸側に浸透するのを遮断することが可能となる。
【００５３】
第２１発明〜第３３発明によれば、前方鞘管に前方基礎杭が挿通されるとともに、後方鞘管に後方基礎杭が挿通されることで、断面方向連結梁を前方基礎杭及び後方基礎杭に接合部で容易、迅速に接合することが可能となり、また、プレキャストフーチングと比較して、軽量で加工が容易な断面方向連結梁が用いられるため、断面方向連結梁を製造場所から設置場所まで容易に運搬輸送することができ、防潮堤を構成する部材の輸送コストを低減させることが可能となる。
【００５４】
特に、第２１発明によれば、断面方向連結梁設置工程で設置された各々の断面方向連結梁の前方鞘管及び後方鞘管をガイド治具として用いることができ、位置決めを容易にしながら前方基礎杭及び後方基礎杭を地盤に打ち込むことが可能となる。
【００５５】
特に、第２６発明〜第３２発明によれば、前方基礎杭等に支持されたプレキャスト壁体を、沿岸部の幅方向に複数並べて設置して、防潮堤を地盤に構築することが可能となり、地震や台風が発生することによって、海から津波や高潮が押し寄せた場合であっても、プレキャスト壁体で津波や高潮を確実に遮断して、津波や高潮による内陸部の浸水被害を防止することが可能となる。
【００５６】
特に、第２７発明、第２８発明、第３０発明、第３１発明によれば、複数のプレキャスト壁体を下方部延長方向連結部材又は上方部延長方向連結部材で幅方向に固定して、複数のプレキャスト壁体の目地部分が幅方向に開くことを防止することが可能となる。特に、第２８発明、第３１発明によれば、上方部延長方向連結部材の上面に落下防止柵を設けることによって、上方部延長方向連結部材の上面を、管理用通路、散策用通路として利用することも可能となる。
【００５７】
特に、第３２発明によれば、想定される津波や高潮の高さに応じて、複数の壁体ユニットを略鉛直方向に積み上げて用いることができ、プレキャスト壁体の高さを任意に高くすることが可能となる。
【００５８】
特に、第３３発明によれば、前方基礎杭より海側で、地盤中に鋼矢板や鋼管矢板等を打ち込んで止水壁を構築することができ、地盤の内部で海水が内陸側に浸透するのを遮断することが可能となる。
【図面の簡単な説明】
【００５９】
【図１】本発明を適用した防潮堤を示す斜視図である。
【図２】（ａ）は、本発明を適用した防潮堤の前方基礎杭と後方基礎杭と断面方向連結梁とを示す側面図であり、（ｂ）は、その後方基礎杭の変形例を示す側面図である。
【図３】（ａ）は、本発明を適用した防潮堤の前方基礎杭と前方鞘管との接合部を示す拡大側面図であり、（ｂ）は、その拡大平面図である。
【図４】（ａ）は、本発明を適用した防潮堤の後方基礎杭と後方鞘管との接合部を示す拡大側面図であり、（ｂ）は、その拡大平面図である。
【図５】（ａ）は、本発明を適用した防潮堤のプレキャスト壁体を示す正面図であり、（ｂ）は、その平面図である。
【図６】本発明を適用した防潮堤の前方基礎杭と前方鞘管との接合部を示す側面図である。
【図７】本発明を適用した防潮堤の前方基礎杭と前方鞘管との接合部とプレキャスト壁体とを示す拡大側面図である。
【図８】本発明を適用した防潮堤の前方基礎杭と前方鞘管との接合部の第１変形例を示す側面図である。
【図９】本発明を適用した防潮堤の前方基礎杭と前方鞘管との接合部の第１変形例とプレキャスト壁体とを示す拡大側面図である。
【図１０】本発明を適用した防潮堤の前方基礎杭と前方鞘管との接合部の第２変形例を示す側面図である。
【図１１】本発明を適用した防潮堤の前方基礎杭と前方鞘管との接合部の第２変形例とプレキャスト壁体とを示す拡大側面図である。
【図１２】本発明を適用した防潮堤の構築方法の断面方向連結梁設置工程を示す平面図である。
【図１３】本発明を適用した防潮堤の構築方法の基礎杭設置工程を示す側面図である。
【図１４】本発明を適用した防潮堤の構築方法の壁体設置工程を示す側面図である。
【図１５】本発明を適用した防潮堤の第１実施形態を示す正面図である。
【図１６】本発明を適用した防潮堤の第１実施形態を示す平面図である。
【図１７】本発明を適用した防潮堤に津波や高潮が押し寄せる状態を示す側面図である。
【図１８】本発明を適用した防潮堤の第１実施形態において中間基礎杭が設けられた状態を示す側面図である。
【図１９】（ａ）は、本発明を適用した防潮堤の第２実施形態を示す側面図であり、（ｂ）は、その平面図である。
【図２０】（ａ）は、本発明を適用した防潮堤の第２実施形態における前方基礎杭の変形例を示す側面図であり、（ｂ）は、その後方基礎杭の変形例を示す側面図である。
【図２１】（ａ）は、本発明を適用した防潮堤の第３実施形態を示す側面図であり、（ｂ）は、その平面図である。
【図２２】（ａ）は、本発明を適用した防潮堤の第３実施形態における前方基礎杭の変形例を示す側面図であり、（ｂ）は、その中間基礎杭の変形例を示す側面図である。
【図２３】本発明を適用した防潮堤において、隣り合う断面方向連結梁の各々の前方鞘管、後方鞘管又は中間鞘管に架設される延長方向連結部材を示す平面図である。
【図２４】（ａ）は、本発明を適用した防潮堤おいて、下方部延長方向連結部材が幅方向で全長に亘って設けられた状態を示す平面図であり、（ｂ）は、下方部延長方向連結部材が幅方向で一部においてのみ設けられた状態を示す平面図である。
【図２５】本発明を適用した防潮堤において、前方鞘管の上端部、後方鞘管の上端部又は中間鞘管の上端部に、プレキャスト壁体の下端部が載せ置かれた状態を示す側面図である。
【図２６】本発明を適用した防潮堤において、断面方向連結梁の上面や、ブラケットに、プレキャスト壁体の下端部が載せ置かれた状態を示す側面図である。
【図２７】（ａ）は、本発明を適用した防潮堤において、上方部延長方向連結部材が用いられた状態を示す平面図であり、（ｂ）は、その正面図である。
【図２８】（ａ）は、本発明を適用した防潮堤において、上方部延長方向連結部材が用いられた部分を示す拡大正面図であり、（ｂ）は、その拡大側面図である。
【図２９】（ａ）は、本発明を適用した防潮堤のプレキャスト壁体の変形例を示す正面図であり、（ｂ）は、その平面図である。
【発明を実施するための形態】
【００６０】
以下、本発明を適用した防潮堤１を実施するための形態について、図面を参照しながら詳細に説明する。
【００６１】
本発明を適用した防潮堤１は、図１に示すように、沿岸部に構築されるものであり、海から押し寄せる津波や高潮を遮断して、津波や高潮による内陸部の浸水被害を防止するものである。
【００６２】
本発明を適用した防潮堤１は、第１実施形態において、海側Ａの地盤９に設けられる前方基礎杭２と、内陸側Ｂの地盤９に設けられる後方基礎杭３と、前方基礎杭２と後方基礎杭３とに架設される断面方向連結梁４とを備える。本発明を適用した防潮堤１は、さらに、海側Ａの地盤９の上方に設けられるプレキャスト壁体５を備えるものとすることができる。
【００６３】
前方基礎杭２は、断面略円形状の鋼管杭が用いられ、図２に示すように、海側Ａの地盤９に打ち込まれることによって設けられる。前方基礎杭２は、これに限らず、如何なる材質で如何なる断面形状のものが用いられてもよい。
【００６４】
前方基礎杭２は、上下方向Ｙに延伸された延伸部２２を有し、海側Ａの地盤９で上下方向Ｙに延びて設けられた状態で、海側Ａの地盤９から上下方向Ｙの上方に向けて、延伸部２２が突出されるものとなる。
【００６５】
後方基礎杭３は、断面略円形状の鋼管杭が用いられ、内陸側Ｂの地盤９に打ち込まれることによって設けられる。後方基礎杭３は、これに限らず、如何なる材質で如何なる断面形状のものが用いられてもよい。
【００６６】
後方基礎杭３は、図２（ａ）に示すように、内陸側Ｂの地盤９で略鉛直方向に延びて設けられる。また、後方基礎杭３は、変形例として、図２（ｂ）に示すように、下端部３ａから上端部３ｂにかけて、海側Ａに傾斜させて設けられてもよい。後方基礎杭３は、下端部３ａから上端部３ｂまで内陸側Ｂの地盤９に埋め込まれるものとなる。
【００６７】
断面方向連結梁４は、断面略円形状の鋼管等が用いられ、図２に示すように、前方鞘管４１と後方鞘管４４とを有する。断面方向連結梁４は、海側Ａの地盤９に前方鞘管４１が埋め込まれるとともに、内陸側Ｂの地盤９に後方鞘管４４が埋め込まれて、全体が海側Ａの地盤９から内陸側Ｂの地盤９にかけて埋め込まれ、略水平に又は傾斜させて配設される。
【００６８】
前方鞘管４１は、図２、図３に示すように、断面方向連結梁４の前端部４ａに、前方基礎杭２の外径よりも大きい内径の鞘管が溶接等によって取り付けられて設けられるものである。前方鞘管４１は、海側Ａの地盤９に埋め込まれた状態で、前方基礎杭２が挿通されるものとなる。
【００６９】
前方鞘管４１は、図３に示すように、前方基礎杭２が挿通された接合部７で、前方鞘管４１と前方基礎杭２との間に形成された間隙Ｇに、モルタル、セメントミルク等の経時硬化性材料７１が充填される。また、前方鞘管４１は、前方基礎杭２が挿通された接合部７で、前方鞘管４１の内面４２に、鉄筋、溶接ビード等の突出部７２が形成される。
【００７０】
前方基礎杭２は、前方鞘管４１に挿通された接合部７で、前方基礎杭２の外面２１に、鉄筋、溶接ビード等の突出部７２が形成される。前方基礎杭２は、前方鞘管４１に挿通された接合部７や横抵抗に有効な地盤深さに対応する部位で、高強度化鋼管又は高剛性化鋼管を用いることができる。高強度化鋼管は、強度の大きい鋼管が使用されるものである。高剛性化鋼管は、鋼管の板厚を部分的に厚くすることにより構成されてもよいし、鋼管の中にコンクリート等を充填して合成構造とすることにより構成されてもよいし、グラウトで接合された二重鋼管とすることにより構成されてもよい。
【００７１】
後方鞘管４４は、図２、図４に示すように、断面方向連結梁４の後端部４ｂに、後方基礎杭３の外径よりも大きい内径の鞘管が溶接等によって取り付けられて設けられるものである。後方鞘管４４は、内陸側Ｂの地盤９に埋め込まれた状態で、後方基礎杭３が挿通されるものとなる。
【００７２】
後方鞘管４４は、図４に示すように、後方基礎杭３が挿通された接合部７で、後方鞘管４４と後方基礎杭３との間に形成された間隙Ｇに、モルタル、セメントミルク等の経時硬化性材料７１が充填される。また、後方鞘管４４は、後方基礎杭３が挿通された接合部７で、後方鞘管４４の内面４５に、鉄筋、溶接ビード等の突出部７２が形成される。
【００７３】
後方基礎杭３は、後方鞘管４４に挿通された接合部７で、後方基礎杭３の外面３１に、鉄筋、溶接ビード等の突出部７２が形成される。後方基礎杭３は、後方鞘管４４に挿通された接合部７や横抵抗に有効な地盤深さに対応する部位で、高強度化鋼管又は高剛性化鋼管を用いることができる。高強度化鋼管は、強度の大きい鋼管が使用されるものである。高剛性化鋼管は、鋼管の板厚を部分的に厚くすることにより構成されてもよいし、鋼管の中にコンクリート等を充填して合成構造とすることにより構成されてもよいし、グラウトで接合された二重鋼管とすることにより構成されてもよい。
【００７４】
前方基礎杭２及び後方基礎杭３は、図２に示すように、海側Ａで陸上の地盤９から内陸側Ｂで陸上の地盤９にかけて埋め込まれた断面方向連結梁４の前方鞘管４１及び後方鞘管４４に挿通されることによって、地盤９の中で強固に固定されるものとなる。
【００７５】
プレキャスト壁体５は、図５に示すように、プレキャストコンクリート製の複数の壁体ユニット５０が上下方向Ｙに積み上げられて用いられる。プレキャスト壁体５は、上下方向Ｙに延びる壁体挿通孔５１が内側に形成される。プレキャスト壁体５は、最上段の壁体ユニット５０において、貫通又は非貫通の壁体挿通孔５１が形成される。
【００７６】
プレキャスト壁体５は、図６、図８、図１０に示すように、前方基礎杭２の延伸部２２が壁体挿通孔５１に挿通されて、海側Ａの地盤９の上方に設けられる。プレキャスト壁体５は、図７、図９、図１１に示すように、壁体挿通孔５１と前方基礎杭２の延伸部２２との間に形成された間隙Ｇに、モルタル、セメントミルク等の経時硬化性材料７１が充填される。
【００７７】
プレキャスト壁体５は、図６、図８、図１０に示すように、最下段の壁体ユニット５０から、最上段の壁体ユニット５０まで、前方基礎杭２の延伸部２２が連続するように壁体挿通孔５１に挿通されて、海側Ａの地盤９の上方に向けて複数段に亘って設けられるものとなる。
【００７８】
プレキャスト壁体５は、図６に示すように、プレキャスト壁体５の下端部５ａが海側Ａの地盤９に埋め込まれ、図７に示すように、前方鞘管４１と前方基礎杭２との接合部７で、前方鞘管４１の上端部４１ａに、プレキャスト壁体５の下端部５ａが直接に載せ置かれる。
【００７９】
また、プレキャスト壁体５は、図８に示すように、プレキャスト壁体５の下端部５ａが海側Ａの地盤９に埋め込まれ、図９に示すように、前方鞘管４１と前方基礎杭２との接合部７の第１変形例において、前方鞘管４１の上端部４１ａに設けられたブラケット６１に、プレキャスト壁体５の下端部５ａが載せ置かれて支持される。
【００８０】
さらに、プレキャスト壁体５は、図１０に示すように、プレキャスト壁体５の下端部５ａが海側Ａの地盤９に埋め込まれ、図１１に示すように、前方鞘管４１と前方基礎杭２との接合部７の第２変形例において、前方鞘管４１の上端部４１ａがプレキャスト壁体５の壁体挿通孔５１に挿通される。このとき、プレキャスト壁体５の下端部５ａは、前方鞘管４１に設けられたブラケット６１と、断面方向連結梁４の上面４０とに載せ置かれて支持される。
【００８１】
本発明を適用した防潮堤１の構築方法は、図１２、図１３に示すように、海側Ａの地盤９から内陸側Ｂの地盤９にかけて断面方向連結梁４を配設する断面方向連結梁設置工程と、前方基礎杭２を海側Ａの地盤９に打ち込むとともに、後方基礎杭３を内陸側Ｂの地盤９に打ち込む基礎杭設置工程とを備える。
【００８２】
断面方向連結梁設置工程では、図１２に示すように、地盤９が掘削された状態で、必要に応じて複数の断面方向連結梁４が沿岸部に並べて配設される。断面方向連結梁設置工程では、各々の断面方向連結梁４の前方鞘管４１及び後方鞘管４４が上下方向Ｙに開口した状態となるように、複数の断面方向連結梁４が設置される。複数の断面方向連結梁４は、隣り合う断面方向連結梁４の各々の後方鞘管４４に架設される角形鋼管やＨ形鋼等、任意の断面形状の延長方向連結部材６２で連結される。
【００８３】
基礎杭設置工程では、図１３に示すように、沿岸部に並べて設置された複数の断面方向連結梁４に対して、前方鞘管４１に挿通させながら前方基礎杭２を海側Ａの地盤９に打ち込むとともに、後方鞘管４４に挿通させながら後方基礎杭３を内陸側Ｂの地盤９に打ち込む。このとき、前方基礎杭２は、海側Ａの地盤９から延伸部２２が突出して設けられ、掘削された地盤９が埋め戻される。
【００８４】
これにより、本発明を適用した防潮堤１の構築方法は、断面方向連結梁設置工程で設置された各々の断面方向連結梁４の前方鞘管４１及び後方鞘管４４をガイド治具として用いることができ、位置決めを容易にしながら前方基礎杭２及び後方基礎杭３を地盤９に打ち込むことが可能となる。
【００８５】
なお、本発明を適用した防潮堤１の構築方法は、これに限らず、前方基礎杭２を海側Ａの地盤９に打ち込むとともに、後方基礎杭３を内陸側Ｂの地盤９に打ち込む基礎杭設置工程と、前方基礎杭２を前方鞘管４１に挿通させるとともに、後方基礎杭３を後方鞘管４４に挿通させながら、海側Ａの地盤９から内陸側Ｂの地盤９にかけて断面方向連結梁４を配設する断面方向連結梁設置工程とを備えるものとしてもよい。
【００８６】
本発明を適用した防潮堤１の構築方法は、さらに、図１４に示すように、プレキャスト壁体５に形成された壁体挿通孔５１に、海側Ａの地盤９から上方に向けて突出して設けられた前方基礎杭２の延伸部２２を挿通させて、プレキャスト壁体５の下端部５ａが部分的に地盤９に埋め込まれた状態で、掘削された地盤９が埋め戻されて、海側Ａの地盤９の上方にプレキャスト壁体５を設ける壁体設置工程を備える。
【００８７】
壁体設置工程では、複数の壁体ユニット５０をプレキャスト壁体５として用いることができ、最下段の壁体ユニット５０から、最上段の壁体ユニット５０まで、前方基礎杭２の延伸部２２を連続するように壁体挿通孔５１に挿通させて、海側Ａの地盤９の上方に向けて複数段に亘ってプレキャスト壁体５を設けるものとなる。
【００８８】
このとき、本発明を適用した防潮堤１の構築方法は、図１５、図１６に示すように、前方基礎杭２に支持されたプレキャスト壁体５を、沿岸部の幅方向Ｘに複数並べて設置して、防潮堤１を地盤９に構築することが可能となる。
【００８９】
これにより、本発明を適用した防潮堤１は、図１７に示すように、地震や台風が発生することによって、海から津波や高潮が押し寄せた場合であっても、プレキャスト壁体５が奥行方向Ｚで倒壊することのないように後方基礎杭３で支持することができ、プレキャスト壁体５で津波や高潮を確実に遮断して、津波や高潮による内陸部の浸水被害を防止することが可能となる。
【００９０】
本発明を適用した防潮堤１は、第１実施形態において、図１８に示すように、奥行方向Ｚで前方基礎杭２と後方基礎杭３との間に設けられる中間基礎杭６をさらに備え、前方基礎杭２、後方基礎杭３及び中間基礎杭６に架設される断面方向連結梁４を用いることもできる。このとき、断面方向連結梁４は、中間基礎杭６の外径よりも大きい内径の鞘管が溶接等によって取り付けられて、中間基礎杭６が挿通される中間鞘管４７が設けられるものとなる。なお、本発明を適用した防潮堤１は、如何なる数量の中間基礎杭６が設けられてもよい。
【００９１】
本発明を適用した防潮堤１は、第２実施形態において、図１９に示すように、中間基礎杭６が地盤９から上下方向Ｙの上方に向けて延伸された延伸部６０を有するものとすることができる。このとき、中間鞘管４７は、中間基礎杭６が挿通された接合部７で、中間鞘管４７と中間基礎杭６との間に形成された間隙Ｇに、経時硬化性材料７１が充填される。中間鞘管４７又は中間基礎杭６は、中間基礎杭６が挿通された接合部７で、突出部７２を形成させることができ、また、接合部７や横抵抗に有効な地盤深さに対応する部位で、高強度化鋼管や高剛性化鋼管を用いることができる。
【００９２】
このとき、プレキャスト壁体５は、中間基礎杭６の延伸部６０が壁体挿通孔５１に挿通されて、地盤９の上方に設けられる。プレキャスト壁体５は、壁体挿通孔５１と中間基礎杭６の延伸部６０との間に形成された間隙Ｇに、経時硬化性材料７１が充填される。前方基礎杭２は、変形例として、図２０（ａ）に示すように、下端部２ａから上端部２ｂにかけて、内陸側Ｂに傾斜させて設けられてもよい。さらに、後方基礎杭３は、変形例として、図２０（ｂ）に示すように、下端部３ａから上端部３ｂにかけて、海側Ａに傾斜させて設けられてもよい。
【００９３】
本発明を適用した防潮堤１は、第３実施形態において、図２１に示すように、後方基礎杭３が地盤９から上下方向Ｙの上方に向けて延伸された延伸部３２を有するものとすることができる。このとき、プレキャスト壁体５は、後方基礎杭３の延伸部３２が壁体挿通孔５１に挿通されて、地盤９の上方に設けられる。プレキャスト壁体５は、壁体挿通孔５１と後方基礎杭３の延伸部３２との間に形成された間隙Ｇに、経時硬化性材料７１が充填される。前方基礎杭２は、変形例として、図２２（ａ）に示すように、下端部２ａから上端部２ｂにかけて、内陸側Ｂに傾斜させて設けられてもよい。さらに、中間基礎杭６は、変形例として、図２２（ｂ）に示すように、下端部６ａから上端部６ｂにかけて、内陸側Ｂに傾斜させて設けられてもよい。
【００９４】
本発明を適用した防潮堤１は、第１実施形態〜第３実施形態の何れにおいても、図２３に示すように、断面方向連結梁４が沿岸部に複数並べて配設されて、隣り合う断面方向連結梁４の各々の前方鞘管４１、後方鞘管４４又は中間鞘管４７に架設される延長方向連結部材６２で、幅方向Ｘに連結されるものとすることができる。延長方向連結部材６２は、防潮堤１の幅方向Ｘで複数の角形鋼管やＨ形鋼等、任意の断面形状のものをボルト接合等によって接合させて用いられる。
【００９５】
このとき、本発明を適用した防潮堤１の構築方法は、断面方向連結梁設置工程において、沿岸部に並べて配設された複数の断面方向連結梁４を、隣り合う断面方向連結梁４の各々の前方鞘管４１、後方鞘管４４又は中間鞘管４７に架設される延長方向連結部材６２で、防潮堤１の幅方向Ｘに連結するものとなる。
【００９６】
また、本発明を適用した防潮堤１は、第１実施形態〜第３実施形態の何れにおいても、図２３、図２４に示すように、プレキャスト壁体５の下方で、沿岸部に複数並べて設けられた隣り合う断面方向連結梁４の各々の前方鞘管４１、後方鞘管４４又は中間鞘管４７に、下方部延長方向連結部材６３が架設されるものとすることができる。このとき、下方部延長方向連結部材６３は、図２４（ａ）に示すように、防潮堤１の幅方向Ｘで全長に亘って設けられてもよい。また、下方部延長方向連結部材６３は、図２４（ｂ）に示すように、防潮堤１の幅方向Ｘで隣り合う複数のプレキャスト壁体５の目地部分５ｂを跨いで、防潮堤１の幅方向Ｘの一部においてのみ設けられてもよい。
【００９７】
下方部延長方向連結部材６３は、図２５に示すように、例えば、前方鞘管４１、後方鞘管４４又は中間鞘管４７の上部又は中間部に取り付けられて、プレキャスト壁体５が設置される。このとき、プレキャスト壁体５の下端部５ａは、図２５（ａ）に示すように、前方鞘管４１の上端部４１ａ、後方鞘管４４の上端部４４ａ又は中間鞘管４７の上端部４７ａに載せ置かれてもよい。また、プレキャスト壁体５の下端部５ａは、図２５（ｂ）に示すように、下方部延長方向連結部材６３の上面に載せ置かれてもよく、図２５（ｃ）に示すように、下方部延長方向連結部材６３の上方に設けられた隙間調整部材６５に載せ置かれてもよい。
【００９８】
さらに、プレキャスト壁体５の下端部５ａは、図２６（ａ）に示すように、下方部延長方向連結部材６３の上面と、断面方向連結梁４の上面４０とに載せ置かれてもよく、図２６（ｂ）に示すように、ブラケット６１の上面に載せ置かれてもよく、図２６（ｃ）に示すように、下方部延長方向連結部材６３の上方に設けられた隙間調整部材６５と、断面方向連結梁４の上面４０とに載せ置かれてもよい。なお、下方部延長方向連結部材６３は、角形鋼管やＨ形鋼等、任意の断面形状のものが用いられる。
【００９９】
本発明を適用した防潮堤１は、第１実施形態〜第３実施形態の何れにおいても、図２７に示すように、プレキャスト壁体５の上方で、沿岸部に複数並べて設けられた隣り合う前方基礎杭２の各々の延伸部２２、隣り合う後方基礎杭３の各々の延伸部３２又は隣り合う中間基礎杭６の各々の延伸部６０に、上方部延長方向連結部材６４が架設されるものとすることができる。このとき、上方部延長方向連結部材６４は、防潮堤１の幅方向Ｘで隣り合う複数のプレキャスト壁体５の目地部分５ｂを跨いで、防潮堤１の幅方向Ｘで断続的に設けられてもよく、また、防潮堤１の幅方向Ｘで連続して設けられてもよい。
【０１００】
上方部延長方向連結部材６４は、図２８（ａ）に示すように、前方基礎杭２の延伸部２２、後方基礎杭３の延伸部３２又は中間基礎杭６の延伸部６０が挿通される連結部材挿通孔６４ａが形成される。連結部材挿通孔６４ａは、前方基礎杭２、後方基礎杭３又は中間基礎杭６が挿通された状態で、前方基礎杭２の上端部２ｂ、後方基礎杭３の上端部３ｂ又は中間基礎杭６の上端部６ｂの内部に亘って経時硬化性材料７１が充填される。
【０１０１】
このとき、本発明を適用した防潮堤１の構築方法は、壁体設置工程において、プレキャスト壁体５の上方で、沿岸部に複数並べて設けられた複数の前方基礎杭２、後方基礎杭３又は中間基礎杭６を、隣り合う前方基礎杭２の各々の延伸部２２、隣り合う後方基礎杭３の各々の延伸部３２又は隣り合う中間基礎杭６の各々の延伸部６０に架設される上方部延長方向連結部材６４で連結するものとなる。
【０１０２】
これにより、本発明を適用した防潮堤１は、幅方向Ｘに地震力等による荷重が作用した場合であっても、下方部延長方向連結部材６３又は上方部延長方向連結部材６４で荷重を幅方向Ｘに分散させることができ、特定の箇所に荷重が集中的に作用することを防止することが可能となる。また、本発明を適用した防潮堤１は、複数のプレキャスト壁体５を下方部延長方向連結部材６３又は上方部延長方向連結部材６４で幅方向Ｘに固定して、複数のプレキャスト壁体５の目地部分５ｂが幅方向Ｘに開くことを防止することが可能となる。さらに、本発明を適用した防潮堤１は、図２８（ｂ）に示すように、上方部延長方向連結部材６４の上面に落下防止柵６６を設けることによって、上方部延長方向連結部材６４の上面を、管理用通路、散策用通路として利用することが可能となる。
【０１０３】
また、本発明を適用した防潮堤１は、上方部延長方向連結部材６４の上面の形状を工夫することによって、プレキャスト壁体５の上方部の重心位置を変化させることができる。例えば、本発明を適用した防潮堤１は、プレキャスト壁体５の上方部の重心位置を内陸側Ｂに配置することで内陸側Ｂに曲げモーメントが作用するものとなり、防潮堤１に津波や高潮が押し寄せることによってプレキャスト壁体５に作用する海側Ａへの曲げモーメントに対抗することが可能となる。
【０１０４】
本発明を適用した防潮堤１は、想定される津波や高潮の高さに応じて、複数の壁体ユニット５０を略鉛直方向に積み上げて用いることができ、プレキャスト壁体５の高さを任意に高くすることが可能となる。また、本発明を適用した防潮堤１は、奥行方向Ｚに所定の数量で中間基礎杭６が設けられることで、プレキャスト壁体５が奥行方向Ｚで倒壊することのないように、プレキャスト壁体５を前方基礎杭２、中間基礎杭６及び後方基礎杭３で強固に支持することが可能となる。
【０１０５】
本発明を適用した防潮堤１は、プレキャストフーチングと比較して、軽量で加工が容易な断面方向連結梁４が用いられるため、断面方向連結梁４を製造場所から設置場所まで容易に運搬輸送することができ、防潮堤１を構成する部材の輸送コストを低減させることが可能となる。
【０１０６】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【０１０７】
例えば、プレキャスト壁体５は、図５に示すように、幅方向Ｘの２箇所に壁体挿通孔５１が形成されるものに限らず、図２９に示すように、幅方向Ｘの１箇所に壁体挿通孔５１が形成された壁体ユニット５０を組み合わせて用いることもできる。また、プレキャスト壁体５は、場所打ちコンクリート方式で構築されるものであってもよく、また、プレキャストコンクリート製のものと場所打ちコンクリート方式のものとを組み合わせたものであってもよい。
【０１０８】
本発明を適用した防潮堤１の構築方法は、基礎杭設置工程で地盤９に打ち込まれた前方基礎杭２より海側Ａで、地盤９中に止水壁８を構築する止水壁設置工程をさらに備えるものとできる。これにより、本発明を適用した防潮堤１は、前方基礎杭２より海側Ａで、地盤９中に鋼矢板や鋼管矢板等を打ち込んで止水壁８を構築することができ、地盤９の内部で海水が内陸側Ｂに浸透するのを遮断することが可能となる。
【符号の説明】
【０１０９】
１        ：防潮堤
２        ：前方基礎杭
２ａ      ：下端部（前方基礎杭）
２ｂ      ：上端部（前方基礎杭）
２１      ：外面（前方基礎杭）
２２      ：延伸部（前方基礎杭）
３        ：後方基礎杭
３ａ      ：下端部（後方基礎杭）
３ｂ      ：上端部（後方基礎杭）
３１      ：外面（後方基礎杭）
３２      ：延伸部（後方基礎杭）
４        ：断面方向連結梁
４ａ      ：前端部（断面方向連結梁）
４ｂ      ：後端部（断面方向連結梁）
４０      ：上面（断面方向連結梁）
４１      ：前方鞘管
４１ａ    ：上端部（前方鞘管）
４２      ：内面（前方鞘管）
４４      ：後方鞘管
４４ａ    ：上端部（後方鞘管）
４５      ：内面（後方鞘管）
４７      ：中間鞘管
４７ａ    ：上端部（中間鞘管）
５        ：プレキャスト壁体
５ａ      ：下端部（プレキャスト壁体）
５０      ：壁体ユニット
５１      ：壁体挿通孔
６        ：中間基礎杭
６ａ      ：下端部（中間基礎杭）
６ｂ      ：上端部（中間基礎杭）
６０      ：延伸部（中間基礎杭）
６１      ：ブラケット
６２      ：延長方向連結部材
６３      ：下方部延長方向連結部材
６４      ：上方部延長方向連結部材
６５      ：隙間調整部材
６６      ：落下防止柵
７        ：接合部
７１      ：経時硬化性材料
７２      ：突出部
８        ：止水壁
９        ：地盤
Ａ        ：海側
Ｂ        ：内陸側
Ｇ        ：間隙
Ｘ        ：幅方向
Ｙ        ：上下方向
Ｚ        ：奥行方向
【図１】
2014227768.tif 000003
【図２】
2014227768.tif 000004
【図３】
2014227768.tif 000005
【図４】
2014227768.tif 000006
【図５】
2014227768.tif 000007
【図６】
2014227768.tif 000008
【図７】
2014227768.tif 000009
【図８】
2014227768.tif 000010
【図９】
2014227768.tif 000011
【図１０】
2014227768.tif 000012
【図１１】
2014227768.tif 000013
【図１２】
2014227768.tif 000014
【図１３】
2014227768.tif 000015
【図１４】
2014227768.tif 000016
【図１５】
2014227768.tif 000017
【図１６】
2014227768.tif 000018
【図１７】
2014227768.tif 000019
【図１８】
2014227768.tif 000020
【図１９】
2014227768.tif 000021
【図２０】
2014227768.tif 000022
【図２１】
2014227768.tif 000023
【図２２】
2014227768.tif 000024
【図２３】
2014227768.tif 000025
【図２４】
2014227768.tif 000026
【図２５】
2014227768.tif 000027
【図２６】
2014227768.tif 000028
【図２７】
2014227768.tif 000029
【図２８】
2014227768.tif 000030
【図２９】
2014227768.tif 000031